(57)【要約】    【課題】  ディフューザ、直接光遮蔽具、レフ板、又はバック等として写真やビデオ等の撮影に使用し得、携帯性や収納性に優れ、軽量で、而も安全な光調整具の提供。    【解決手段】  軟質合成樹脂シート製の中空体からなる枠形成体１０における枠部１０ａを、円環状とする。枠部１０ａの内側に円形の貫通囲繞部１２を形成する。枠部１０ａの一部を径方向外方に突出して保持用部１０ｂに形成する。光が透過しつつ拡散し得る２枚の円形布の半円周を縫合し、残りの半円周にファスナ１６ｂを設けたディフューザ用の張設体１６を、空気充填の枠形成体１０の枠部１０ａに被せて貫通囲繞部１２を覆う。支持用柄体１８の把持部１８ａにより保持用部１０ｂを把持し、把持部１８ａに柄部１８ｂを連結して支持する。【選択図】      図１
2005292624.tif 000002
【特許請求の範囲】
【請求項１】
内側に貫通囲繞部を形成する枠部を備えた枠形成体と、
前記枠部に着脱可能に張設して貫通囲繞部を覆うシート状材料製の光調整用の張設体を備え、
前記枠部は、気密性を有する柔軟な中空体からなり、気体の充填封止及び排出が可能で、気体の充填により枠形状を保形し得、気体の排出により縮形し得るものであることを特徴とする光調整具。
【請求項２】
上記張設体が、少なくとも貫通囲繞部を覆うように張設されるものである請求項１記載の光調整具。
【請求項３】
上記張設体が、貫通囲繞部と枠部を覆うように張設されるものである請求項１記載の光調整具。
【請求項４】
上記張設体が、枠部及び貫通囲繞部を被覆することにより枠部に張設されるものである請求項１記載の光調整具。
【請求項５】
上記張設体として、光が透過しつつ拡散し得る材料からなる張設体を含む請求項１乃至４の何れかに記載の光調整具。
【請求項６】
枠形成体全体が、気密性を有する柔軟な中空体からなり、気体の充填封止及び排出が可能で、気体の充填により枠形状を保形し得、気体の排出により縮形し得るものである請求項１乃至５の何れかに記載の光調整具。
【請求項７】
枠形成体を支持し得る支持用柄体を備えた請求項１乃至６の何れかに記載の光調整具。
【発明の詳細な説明】
【技術分野】
【０００１】
本発明は、ディフューザ、直接光遮蔽具、レフ板、又はバック等として写真やビデオ等の撮影に使用し得る光調整具に関する。
【背景技術】
【０００２】
特開平８−３２０５１５号公報（特許文献１）には、フレーム（１）の１辺に延長アーム（２）を取り付け、延長アーム（２）に補助アーム（３）を接続し、補助アーム（３）に錘（４）を接続したバランスドディフューザ ーフレームの発明が記載されている。
【０００３】
このような従来のディフューザは、金属製のフレームの携帯性及び収納性が良いとは言えず、而も、使用中に人や物に当たった場合、他の物を損傷させたり他人に危害を与える懼れを有する。レフ板等についても同様である。
【特許文献１】特開平８−３２０５１５号公報
【発明の開示】
【発明が解決しようとする課題】
【０００４】
本発明は、従来技術に存した上記のような課題に鑑み行われたものであって、その目的とするところは、ディフューザ、直接光遮蔽具、レフ板、又はバック等として写真やビデオ等の撮影に使用し得、携帯性や収納性に優れ、軽量で、而も安全な光調整具を提供することにある。
【課題を解決するための手段】
【０００５】
上記目的を達成する本発明の光調整具は、
内側に貫通囲繞部を形成する枠部を備えた枠形成体と、
前記枠部に着脱可能に張設して貫通囲繞部を覆うシート状材料製の光調整用の張設体を備え、
前記枠部は、気密性を有する柔軟な中空体からなり、気体の充填封止及び排出が可能で、気体の充填により枠形状を保形し得、気体の排出により縮形し得るものであることを特徴とする。
【０００６】
この光調整具の枠形成体の枠部を構成する中空体内に気体を十分に充填することにより、枠部が枠形状を良好に保形する。このように良好な枠形状保形性を有する枠部に種々の光調整用の張設体を張設して枠部内側の貫通囲繞部を覆った状態とすることにより、光調整用の張設体を安定的に維持し得る光調整具として使用することができる。
【０００７】
例えば、張設体が、光が透過しつつ拡散し得るものであり、撮影用のストロボやその他の照明の光が、貫通囲繞部を覆う張設体を透過しつつ拡散し得る場合、光調整具はディフューザとして機能する。光が透過せず光の反射率も低いものである場合、被写体に直接光が当るのを防いでフラットな光線状態を作ることができ、例えば被写体のソフト感の強調等の効果を得ることができる直接光遮蔽具として使用することができる。また、張設体が、光の反射率が比較的高いものであり、枠部に張設して貫通囲繞部を覆う張設体が日光や照明光等を効率良く反射し得る場合、光調整具はレフ板として機能する。更に、張設体が例えば黒色、白色、又はその他の色で光の反射率が比較的低いものあれば、光調整具は、黒、白、又はその他のバックとして使用し得る。
【０００８】
また、枠部は柔軟な中空体からなるので、他の人に危害を与えたり、物を損傷させたりすることが防がれ、而も軽量である。
【０００９】
更に、シート状材料製の張設体を枠形成体から取り外して（或いは取り外さずに）、枠部から気体を排出し、枠部及び張設体を縮形することにより、全体をコンパクト化して携帯性及び収納性を高めることができる。
【００１０】
上記張設体は、少なくとも貫通囲繞部を覆うように張設されるものとすることができる。また上記張設体は、貫通囲繞部と枠部を覆うように張設されるものとすることができる。更に、上記張設体は、枠部及び貫通囲繞部を被覆することにより枠部に張設されるものとすることができる。
【００１１】
本発明の光調整具は、上記張設体としては、光が透過しつつ拡散し得る材料からなる張設体を含むことが望ましい。このように光が透過しつつ拡散し得る材料からなる張設体を用いると、撮影用のストロボやその他の照明の光が貫通囲繞部を覆う張設体を透過しつつ拡散し得るので、光調整具はディフューザとして機能する。
【００１２】
また本発明の光調整具は、枠形成体全体が、気密性を有する柔軟な中空体からなり、気体の充填封止及び排出が可能で、気体の充填により枠形状を保形し得、気体の排出により縮形し得るものとすることができる。
【００１３】
更に、本発明の光調整具は、枠形成体を支持し得る支持用柄体を備えたものとすることができる。この場合、支持用柄体により枠形成体を支持することにより、ディフューザ、直接光遮蔽具、レフ板、バック等の光調整具として使用し得る空間的範囲が拡大する。
【発明の効果】
【００１４】
本発明の光調整具は、枠部に気体を十分に充填することにより枠形状を保形した枠部に種々の光調整用の張設体を張設して貫通囲繞部を覆った状態とすることにより、ディフューザ、直接光遮蔽具、レフ板、又はバック等として写真やビデオ等の撮影に使用し得る。枠部は柔軟な中空体からなるので危害や損傷を与えることが防がれ、枠部から気体を排出して枠形成体及び張設体を縮形することにより、全体をコンパクト化して携帯性及び収納性を高めることができ、而も軽量であるため利便性が高い。
【発明を実施するための最良の形態】
【００１５】
本発明の実施の形態を、図面を参照しつつ説明する。
【００１６】
図面は、本発明の実施の形態の一例としての、写真やビデオ等の撮影に使用し得る光調整具についてのものであって、図１は正面図、図２は枠形成体の正面図、図３は枠形成体の縦断面図、図４は支持用柄体の側面図、図５は張設体の正面図、図６は張設体の縦断面図である。
【００１７】
枠形成体１０は、軟質合成樹脂シート製の略円環状の中空体からなる。枠部１０ａは、ほぼ一定の略円形断面の円環状をなし、内側に円形の貫通囲繞部１２を形成する。枠部１０ａは、気体（通常は空気）充填時における保形上、円環状であることが好ましいが、これに限るものではなく、例えば四角形又はその他の多角形とすることもできる。
【００１８】
枠形成体１０の一部は枠部１０ａから径方向外方に略台形状に突出して保持用部１０ｂに形成されている。保持用部１０ｂは必ず要するものではない。枠形成体１０における中空部の一部である保持用部１０ｂ（保持用部に限らない）に、気体の充填封止及び排出を行い得る栓部１４が設けられている。勿論、栓部１４以外の解除可能な封入部でも適宜採用し得る。また、枠部１０ａ以外は中空体でないものとすることもできる。
【００１９】
張設体１６は、２枚の円形シート１６ａ（例えば、布、合成樹脂シート等の可撓性材料）の外周部のうち半円周部が縫合され、残りの半円周部はファスナ１６ｂにより接合及び接合解除自在に構成された円形袋状をなす。この張設体１６は、ファスナ１６ｂによる接合を解除して、空気が十分に充填された枠形成体１０の枠部１０ａに被せ、保持用部１０ｂを除く張設体１６の外周部をファスナ１６ｂにより接合することにより、貫通囲繞部１２を覆った状態で枠形成体１０に張設体１６を取り付けることができる（図１）。
【００２０】
張設体１６を構成するシート材料としては、光が透過しつつ拡散し得る材料（この場合、袋状を形成する両シートが共に光が透過しつつ拡散し得る材料とすることができる。）、光が透過せず光の反射率も低い材料、光の反射率が比較的高い材料（この場合、袋状を形成する両シートを別の色［例えば銀色と金色又はその他の色］にすることができる。）、或いは黒色、白色、又はその他の色の材料等を適宜採用し得る。なお、例えば、枠形成体１０に対し、袋状でなく１枚のシート体からなる張設体１６を面ファスナにより着脱して張設する等、袋状の張設体以外の張設体を適宜手段により張設することもできる。
【００２１】
支持用柄体１８は、把持部１８ａと、把持部１８ａの基部に対し連結及び連結解除することができる伸縮可能な柄部１８ｂからなる。把持部１８ａは、断面略Ｕ字状の収容凹部１８ａ１と、その収容凹部１８ａ１の開口端部を開閉する揺動開閉部１８ａ２からなる。なお、柄部１８ｂは、例えば継竿状の柄部１８ｂ（互いに連結することにより長尺となり、連結解除により複数の短尺棒状となるもの。）等を採用することもできる。
【００２２】
枠形成体１０は軟質合成樹脂シート製であるから、気体充填前の枠形成体１０は、全体としてシート状をなし、折り畳み等により十分に縮形し得る。また張設体１６も、シート材料からなるため、折り畳み等により十分に縮形し得る。支持用柄体１８は、把持部１８ａと、伸縮可能な柄部１８ｂに分離される。よって、使用前及び使用後において、全体として携帯性及び収納性に優れ、而も全体として軽量である。
【００２３】
栓部１４を通じて枠形成体１０に気体を十分に充填することにより、中空体からなる枠部１０ａが断面略円形状となって円環枠形状を良好に保形すると共に、保持用部１０ｂも正面略台形状の立体形状を良好に保形する。この保持用部１０ｂをその外周側から把持部１８ａの収容凹部１８ａ１に収容し、保持用部１０ｂの内周側において揺動開閉部１８ａ２を閉じることにより、枠形成体１０を把持部１８ａにより把持することができる。張設体１６のファスナ１６ｂを開き、枠形成体１０の枠部１０ａに被せて貫通囲繞部１２を覆い、保持用部１０ｂを除く張設体１６の外周部をファスナ１６ｂにより接合して枠形成体１０に張設体１６を取り付けると、枠部１０ａは円環形状を良好に保形するので、貫通囲繞部１２を覆った光調整用の張設体１６の両面を安定的に維持し得る光調整具として使用することができる。また、把持部１８ａに柄部１８ｂの先端部を連結することにより、支持用柄体１８の先端側に枠形成体１０を支持し、光調整具として使用し得る空間的範囲を拡大することができるが、枠形成体１０は柔軟な中空体からなるので、他人に危害を与えたり、物を損傷させたりすることは防がれる。
【００２４】
張設体１６が、光が透過しつつ拡散し得る布を用いたものである場合、光調整具をディフューザとして使用することができる。この場合、写真撮影用のストロボ光を貫通囲繞部１２を覆う張設体１６を通じて被写体に照射することにより、ストロボ光は張設体１６を透過しつつ拡散して被写体に達することとなる。張設体１６を光が透過せず光の反射率も低いシート材料で形成した場合、被写体に直接光が当るのを防いでフラットな光線状態を作ることができる直接光遮蔽具として使用することができる。また、張設体１６を反射シートで形成した場合、光調整具を、日光や照明光を反射して被写体を照明するレフ板として使用することができる。更に、張設体１６を反射率が低い黒色布で構成した場合、光調整具を黒バックとして使用することができる。なお、張設体は、表裏変更して使用し得る（リバーシブル）ものとすれば、更に利便性が高い。
【００２５】
使用後は、張設体１６を枠形成体１０から取り外し（取り外すことを要しないものであってもよい）、枠部１０ａから気体を排出し、支持用柄体１８を枠形成体１０から取り外し（取り外すことを要しないものであってもよい）、把持部１８ａと柄部１８ｂを分離し、柄部１８ｂの連結を解除することができる。
【図面の簡単な説明】
【００２６】
【図１】正面図である。
【図２】枠形成体の正面図である。
【図３】枠形成体の縦断面図である。
【図４】支持用柄体の側面図である。
【図５】張設体の正面図である。
【図６】張設体の縦断面図である。
【符号の説明】
【００２７】
１０      枠形成体
１０ａ    枠部
１０ｂ    保持用部
１２      貫通囲繞部
１４      栓部
１６      張設体
１６ａ    円形シート
１６ｂ    ファスナ
１８      支持用柄体
１８ａ    把持部
１８ａ１  収容凹部
１８ａ２  揺動開閉部
１８ｂ    柄部
【図１】
2005292624.tif 000003
【図２】
2005292624.tif 000004
【図３】
2005292624.tif 000005
【図４】
2005292624.tif 000006
【図５】
2005292624.tif 000007
【図６】
2005292624.tif 000008